(57)【要約】【課題】高速空気流を同一方向に送風することで乾燥室内の高速空気流のぶつかりを防止して跳ね返り水を低減し、手に付着した水分を効率的に排水可能にすることで、乾燥室内の清潔性の向上を図ることができる手乾燥装置を提供する。【解決手段】本体１の開放部から挿入された手を乾燥させる乾燥室３と、この乾燥室３には、開放部側に配置して第１風路から気流を吹出す第１ノズル部と、前記第１ノズル部へ送風する第１電動送風機２ａと、前記乾燥室３の底部側に配置して第２風路と前記乾燥室３を連通させる第２ノズル部７ｂと、前記第２ノズル部７ｂを境にして空気の吹き出しまたは吸い込みをさせる第２電動送風機２ｂと、前記乾燥室３内に挿入された手を検知する手検知部４とを設け、前記第２ノズル部７ｂから空気を吹出すときには、前記第２電動送風機２ｂを正回転動作をさせ、吸い込むときには、逆回転動作をさせる第１制御部８ａを備えた手乾燥装置。【選択図】図１
2010279458.tif 000002
【特許請求の範囲】
【請求項１】
本体の開放部から挿入された手を乾燥させる乾燥室と、この乾燥室には、開放部側に配置して第１風路から気流を吹出す第１ノズル部と、前記第１ノズル部へ送風する第１電動送風機と、前記乾燥室の底部側に配置して第２風路と前記乾燥室を連通させる第２ノズル部と、前記第２ノズル部を境にして空気の吹き出しまたは吸い込みをさせる第２電動送風機と、前記乾燥室内に挿入された手を検知する手検知部とを設け、前記第２ノズル部から空気を吹出すときには、前記第２電動送風機を正回転動作をさせ、吸い込むときには、逆回転動作をさせる第１制御部を備えた手乾燥装置。
【請求項２】
第１ノズル部と、第２ノズル部には、それぞれ送風する向きを変更する第１ルーバーと第２ルーバーとを備え、第１制御部は、第２電動送風機が逆回転時には、前記第２ルーバーのルーバー角度を上方に変更することを特徴とする請求項１記載の手乾燥装置。
【請求項３】
乾燥室内の乾燥状態を検知する湿度検知手段を備え、手検知運転時において、乾燥室内の乾燥状態の結果に応じて第１電動送風機と第２電動送風機の起動の順序を変更する第２制御部を備えた請求項１〜２のいずれかに記載の手乾燥装置。
【請求項４】
手検知運転時において、乾燥室内の乾燥状態が所定の湿度を超えた場合、第２電動送風機の起動を優先することを特徴とする請求項３に記載の手乾燥装置。
【請求項５】
手検知運転時において、乾燥室内の乾燥状態が所定の湿度を下回る場合、第１電動送風機の起動を優先することを特徴とする請求項３または４に記載の手乾燥装置。
【請求項６】
本体の正面に人を検知する人感検知手段を備え、乾燥室内の乾燥状態に応じて、人を検知してから手を検知するまでに第１電動送風機または第２電動送風機を起動させることを判断する第３制御部を備えた請求項１〜５のいずれかに記載の手乾燥装置。
【請求項７】
乾燥室内の乾燥状態が所定の湿度を超えた場合、人を検知してから手を検知するまでに第２電動送風機を起動することを特徴とする請求項６に記載の手乾燥装置。
【発明の詳細な説明】
【技術分野】
【０００１】
本発明は、手を効率的に乾燥させる手乾燥装置に関するものである。
【背景技術】
【０００２】
従来、この種の手乾燥装置は、洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の壁面に傾けて設けられた赤外線発光素子と赤外線受光素子からなる手検出部が設けられている。
【０００４】
さらに、手検出部により手を検知すると本体に内蔵された送風装置が作動し、吹出し口から乾燥室へ高速空気流が噴射して、手に付着した水分を吹き飛ばして、手を乾燥させる構成となっていた。
【先行技術文献】
【特許文献】
【０００５】
【特許文献１】特開平１１−３１８７６０号公報
【発明の概要】
【発明が解決しようとする課題】
【０００６】
このような従来の手乾燥装置では、乾燥効率を向上させるために、高速空気流の風量の改善が課題であった。
【０００７】
さらに、乾燥室内の高速空気流のぶつかり合いと挿入された手に付着した水分による跳ね返り水が飛散するために不快を与えるという課題という課題があった。
【０００８】
本発明は、このような従来の課題を解決するもので、高速空気流の風量を増加させるだけでなく、同一方向に送風することで乾燥室内の高速空気流のぶつかりを防止し、手に付着した水分を効率的にドレン排水可能にすることで跳ね返り水を低減し、乾燥室内の乾燥状態が保たれるために清潔性の向上が図れることができる手乾燥装置を提供する。
【課題を解決するための手段】
【０００９】
前記課題を解決するために、本発明の手乾燥装置は、本体の開放部から挿入された手を乾燥させる乾燥室と、この乾燥室には、開放部側に配置して第１風路から気流を吹出す第１ノズル部と、前記第１ノズル部へ送風する第１電動送風機と、前記乾燥室の底部側に配置して第２風路と前記乾燥室を連通させる第２ノズル部と、前記第２ノズル部を境にして空気の吹出しまたは吸い込みをさせる第２電動送風機と、前記乾燥室内に挿入された手を検知する手検知部とを設け、前記第２ノズル部から空気を吹出すときには、前記第２電動送風機を正回転動作をさせ、吸い込むときには、逆回転動作をさせる第１制御部を備えたものである。
【００１０】
また他の手段は、第１ノズル部と、第２ノズル部には、それぞれ送風する向きを変更する第１ルーバーと第２ルーバーとを備え、第１制御部は、第２電動送風機が逆回転時には、前記第２ルーバーのルーバー角度を上方に変更することを特徴とするものである。
【００１１】
また他の手段は、乾燥室内の乾燥状態を検知する湿度検知手段を備え、手検知運転時において、乾燥室内の乾燥状態の結果に応じて第１電動送風機と第２電動送風機の起動の順序を変更する第２制御部を備えたものである。
【００１２】
また他の手段は、手検知運転時において、乾燥室内の乾燥状態が所定の湿度を超えた場合、第２電動送風機の起動を優先することを特徴とするものである。
【００１３】
また他の手段は、手検知運転時において、乾燥室内の乾燥状態が所定の湿度を下回る場合、第１電動送風機の起動を優先することを特徴とするものである。
【００１４】
また他の手段は、本体の正面に人を検知する人感検知手段を備え、乾燥室内の乾燥状態に応じて、人を検知してから手を検知するまでに第１電動送風機または第２電動送風機を起動させることを判断する第３制御部を備えたものである。
【００１５】
また他の手段は、乾燥室内の乾燥状態が所定の湿度を超えた場合、人を検知してから手を検知するまでに第２電動送風機を起動することを特徴とするものである。
【発明の効果】
【００１６】
本発明の手乾燥装置によれば、本体の開放部から挿入された手を乾燥させる乾燥室と、この乾燥室には、開放部側に配置して第１風路から気流を吹出す第１ノズル部と、前記第１ノズル部へ送風する第１電動送風機と、前記乾燥室の底部側に配置して第２風路と前記乾燥室を連通させる第２ノズル部と、前記第２ノズル部を境にして空気の吹出しまたは吸い込みをさせる第２電動送風機と、前記乾燥室内に挿入された手を検知する手検知部とを設け、前記第２ノズル部から空気を吹出すときには、前記第２電動送風機を正回転動作をさせ、吸い込むときには、逆回転動作をさせる第１制御部を備えた構成により、手検知運転時において、第１電動送風機は正回転させて前記乾燥室の下部に向けて送風し、さらに前記第２電動送風機は逆回転させて、前記乾燥室上部からの空気を吸込むことで第１、第２電動送風機による気流を同一方向に送風させて風量を加速させて、風のぶつかり合いによる風速ロスを防止し、手に付着した水分を同一方向に飛散させながら、気流の風速をアップすることが可能となるため、乾燥性の向上と跳ね返り水の防止を実現できるという効果のある手乾燥装置を提供することができる。
【図面の簡単な説明】
【００１７】
【図１】本発明の実施の形態１の通常運転時の手乾燥装置を示す側断面図
【図２】同実施の形態１の乾燥運転時の手乾燥装置を示す側断面図
【図３】同実施の形態２の通常運転時の手乾燥装置を示す側断面図
【図４】同実施の形態３の通常運転時の手乾燥装置を示す側断面図
【図５】同実施の形態４の通常運転時の手乾燥装置を示す側断面図
【発明を実施するための形態】
【００１８】
本発明の請求項１記載の発明は、本体の開放部から挿入された手を乾燥させる乾燥室と、この乾燥室には、開放部側に配置して第１風路から気流を吹出す第１ノズル部と、前記第１ノズル部へ送風する第１電動送風機と、前記乾燥室の底部側に配置して第２風路と前記乾燥室を連通させる第２ノズル部と、前記第２ノズル部を境にして空気の吹出しまたは吸い込みをさせる第２電動送風機と、前記乾燥室内に挿入された手を検知する手検知部とを設け、前記第２ノズル部から空気を吹出すときには、前記第２電動送風機を正回転動作をさせ、吸い込むときには、逆回転動作をさせる第１制御部を備えた構成を特徴とする手乾燥装置であって、手検知運転時において、第１電動送風機は正回転させて前記乾燥室の下部に送風し、さらに前記第２電動送風機は逆回転させて、前記乾燥室上部からの空気を吸込むことで、第１、第２電動送風機による気流を同一方向に送風させて風量を加速させて、風のぶつかり合いによる風速ロスを防止し、手に付着した水分を同一方向に飛散させながら、気流の風速をアップすることが可能となるため、乾燥性の向上と跳ね返り水の防止を実現できるという効果を奏する。
【００１９】
また請求項２記載の発明は、第１ノズル部と、第２ノズル部には、それぞれ送風する向きを変更する第１ルーバーと第２ルーバーとを備え、第１制御部は、第２電動送風機が逆回転時には、前記第２ルーバーのルーバー角度を上方に変更することを特徴とする手乾燥装置であって、手検知運転時の通常運転時において、第１電動送風機を正回転させて前記乾燥室の下部に送風し、前記第２電動送風機は、逆回転させて吸気させながら、さらに前記第２ルーバーを上方に向けることで、乾燥室底部に送風される空気を効率的に引き込み前記第２電動送風機が吸気することができるという作用により、空気抵抗の低減による吸気効率が向上し、手に付着した水分を同一方向に飛散させることができ、乾燥性の向上と跳ね返り水の防止とを実現できるという効果のある手乾燥装置が得られる。
【００２０】
また請求項３記載の発明は、乾燥室内の乾燥状態を検知する湿度検知手段を備え、手検知運転時において、乾燥室内の乾燥状態の結果に応じて第１電動送風機と第２電動送風機の起動の順序を変更する第２制御部を備えた手乾燥装置あって、湿度検知手段により、乾燥室内の湿度管理することで、起動させる電動送風機の順序を第２制御部が選択することができるという作用により、第１、第２電動送風機の起動の順序を変更して、乾燥室内の湿気を手に当てることを防止し、手に感じる湿度を低減させ、手の乾燥効率を向上させることができる。
【００２１】
また、同時に電動送風機を起動しないために突入電流の分散による定格電流の低減を図ることができるという効果のある手乾燥装置が得られる。
【００２２】
また請求項４記載の発明は、手検知運転時において、乾燥室内の乾燥状態が所定の湿度を超えた場合、第２電動送風機の起動を優先することを特徴とする手乾燥装置であって、湿度検知手段により、乾燥室内の湿度管理することで、手に感じる湿度を低減させるために、湿度が高い時は逆回転させた第２電動送風機から起動させて乾燥室内の空気を吸い込むことで湿度を下げて、その後、第１電動送風機を起動させるという作用により、上から下へ同一方向に空気流を流して、手には乾燥室内の高い湿度の空気を当てることがなくなり、手に感じる湿度を低減させ、手の乾燥効率を向上させることができるという効果のある手乾燥装置が得られる。
【００２３】
また請求項５記載の発明は、手検知運転時において、乾燥室内の乾燥状態が所定の湿度を下回る場合、第１電動送風機の起動を優先することを特徴とする手乾燥装置あって、湿度検知手段により、乾燥室内の湿度管理することで、湿度が低い時は第１電動送風機を正回転させてから、第２電動送風機を起動させるという作用により、上下同一方向に空気流を流し、第１電動送風機から起動させることで、起動時から乾いた高速空気流を手に当てて乾燥が可能なため、短時間で手を乾燥させることができるという効果のある手乾燥装置が得られる。
【００２４】
また請求項６記載の発明は、本体の正面に人を検知する人感検知手段を備え、乾燥室内の乾燥状態に応じて、人を検知してから手を検知するまでに第１電動送風機または第２電動送風機を起動させることを判断する第３制御部を備えた手乾燥装置であって、本体の正面の人感検知手段が検知すると、乾燥室内外の湿度検知手段により湿度を計測し、第３制御部はどちらの湿度が高いか比較して判断することができる作用を有する。この手段により、人感検知したら乾燥室内の湿度の状態を把握し、手検知までの時間に乾燥室内の湿度を補正させる新たな制御が可能となり、短時間で手を乾燥させるための準備ができるという効果のある手乾燥装置が得られる。
【００２５】
また請求項７記載の発明は、乾燥室内の乾燥状態が所定の湿度を超えた場合、人を検知してから手を検知するまでに第２電動送風機を起動することを特徴とする手乾燥装置であって、人感検知手段が人体と検知したら、乾燥室内の湿度検知手段により湿度を計測し、湿度が高い場合、手検知に関係なく第２電動送風機を逆回転で起動させることで、即座に湿度を下げることができるという作用により、手検知時に第１電動送風機からの起動をして、短時間で手を乾燥させることができるという効果のある手乾燥装置が得られる。
【００２６】
以下、本発明の実施の形態について図面を参照しながら説明する。
【００２７】
（実施の形態１）
図１および図２は、本実施の形態１における通常運転時と乾燥運転時の手乾燥装置の側断面図を示す。
【００２８】
図１に示すように、本体１の開放部から挿入された手を乾燥させる乾燥室３と、この乾燥室３には、開放部側に配置して第１風路６ａから気流を吹出す第１ノズル部７ａと、前記第１ノズル部７ａへ送風する第１電動送風機２ａと、前記乾燥室３の底部側に配置して第２風路６ｂから気流を吹出す第２ノズル部７ｂと、前記第２ノズル部７ｂへ送風する第２電動送風機２ｂと、前記乾燥室３内に挿入された手を検知する手検知部４とを備え、前記本体１の下部に設けた前記第２ノズル部７ｂへ送風する第２電動送風機２ｂのみ、正回転と逆回転動作が可能な第１制御部８ａを備えた構成を特徴とする手乾燥装置である。
【００２９】
また、前記手検知部４の一例として、赤外線受発光素子や側距センサーなどを用いて、前記乾燥室３内の手の抜き差しを検知することができる。
【００３０】
さらに、前記第１制御部８ａには、前記手検知部４からの信号により、挿入された手を検知している間、前記第１電動送風機２ａと前記第２電動送風機２ｂを動作し続け、手の非検知状態になったら、前記第１電動送風機２ａと前記第２電動送風機２ｂを一定時間の遅延運転を継続させて停止する構成を備える。
【００３１】
また、遅延運転の一定時間は、一例として、１秒〜５秒程度であり、この時間は前記手検知部４が手の非検知状態になったら、惰性で前記第１電動送風機２ａと前記第２電動送風機２ｂが回転して停止する時間で設定された時間である。
【００３２】
さらに、吸気口５は外気から空気を取り入れ、前記第１風路６ａと前記第２風路６ｂより、前記乾燥室３に空気を送風及び吸気させることができる。
【００３３】
また、前記乾燥室３の下部に設けられた排水口９は、前記第１送風電動機にて飛散された水分が溜り、第１ドレン配管１０ａを経由してドレンタンク１１に溜まる経路と第２電動送風機２ｂより吸引された水分が第２ドレン配管１０ｂを経由してドレンタンク１１経路で水が溜まる構造である。そして、前記ドレンタンク１１に溜まった水分は清掃者が定期的に捨てることで使用されている。
【００３４】
さらに、前記第１ノズル部７ａは、第１ルーバー１２ａと第１ルーバー可動手段１３ａを備え、前記第１ノズル部７ａからの高速空気流の吹き出し方向を変更できる構成とする。
【００３５】
また、前記第１ルーバー可動手段１３ａの一例として、ステッピングモータなどが用いられる。
【００３６】
さらに、前記第１制御部８ａは、前記第１電動送風機２ａの動作時に連動して前記第１制御部８ａからの信号でステッピングモータが回転し、その回転力にて前記第１ルーバー１２ａが機械的に開閉動作と左右の動作をする構成を備える。そして、前記第１制御部８ａにより前記第１ルーバー１２ａを動作させることで前記第１ノズル部７ａから前記乾燥室３の底部に向けて広角に高速空気流を送風することが可能である。
【００３７】
さらに、前記第１電動送風機２ａが停止すると、第１電動送風機２ａの停止動作に連動してステッピングモータは現在の回転角から初期値の回転角度に戻ってから停止するために、前記第１ルーバー１２ａは閉動作となって、前記第１ノズル部７ａから送風ができなくなる。
【００３８】
また、図１は手検知時の通常運転を表したものであり、手検知時に第１電動送風機２ａが動作し続いて、第２電動送風機２ｂが動作するが、第１電動送風機２ａと第２電動送風機２ｂの回転方向が異なるために、前記吸気口５からの空気は第１経路の上方に空気は流れ、前記第１ノズル部より前記乾燥室３に吹き出され、第２電動送風機２ｂが逆回転しているために、第２ノズル部より吸気された空気は、第２経路を通過して、第１経路に戻る構成である。
【００３９】
さらに、運転には前記通常運転のほかに、手の検知がなくなってから行う遅延運転と手を検知していない時に乾燥室内を乾燥させる乾燥運転の２つがある。
【００４０】
そこで、手検知後の遅延運転完了後に、前記乾燥室３を乾かせるための乾燥運転の動作を説明する。
【００４１】
図２は、乾燥運転時の手乾燥装置の側断面図を示すものであり、手非検知時のため、前記第１電動送風機２ａは停止し、前記第１ルーバー１２ａも閉じている状態であるが、前記乾燥室３内を乾燥させるために、前記第２電動送風機２ｂのみ回転速度を落として運転動作している。
【００４２】
また、乾燥運転時は、第２電動送風機２ｂは正回転で回転速度を落として運転する。これは、手非検知時のために誤動作であると使用者に間違われずに乾燥室３内を乾燥するためである。
【００４３】
さらに、前記第２風路６ｂに流れる風に向きは通常運転時とは異なり逆向きとなる構成する。
【００４４】
上記構成により、手検知運転時の通常運転時において、高速空気流の風量をＵＰするために第１電動送風機２ａは正回転させて前記乾燥室３の下部に送風し、さらに前記第２電動送風機２ｂは逆回転させて、前記乾燥室３上部からの高速空気流を吸込むことで上下の電動送風機による高速空気流を同一方向に送風させて風量を加速させて、風のぶつかり合いによる風速ロスを防止し、手に付着した水分を同一方向に飛散させながら、風速ＵＰが可能となるため、乾燥性の向上と跳ね返り水の防止を実現できることとなる。
【００４５】
（実施の形態２）
図３に示すように、本実施の形態２における通常運転時の手乾燥装置の側断面図を示す。
【００４６】
図３に示すように、本体１の開放部から挿入された手を乾燥させる乾燥室３と、この乾燥室３には、開放部側に配置して気流を吹出す第１ノズル部７ａと、前記第２ノズル部７ｂには、送風する向きを変更する第１ルーバー１２ａと第２ルーバー１２ｂとを備え、前記本体１の下部に設けた第２電動送風機２ｂが逆回転時には、前記第２ルーバー１２ｂのみルーバー角度を上方に変更する第１制御部８ａを備えたことを特徴としている。
【００４７】
また、前記第２ルーバー１２ｂには、前記第２ルーバー可動手段１３ｂを備え、一例としては、ステッピングモータなどが用いられる。
【００４８】
さらに、前記第１制御部８ａにより前記第１ルーバー１２ａと前記第２ルーバー１２ｂの動作をさせることで前記第１ノズル部７ａから底部に向けて広角に送風した高速空気流を、前記第２ルーバー１２ｂを上方に向けて広角に吸い込むように前記第２ルーバー可動手段１３ｂを第１制御部８ａが制御させる構成する。
【００４９】
上記構成により、手検知運転時の通常運転時において、第１電動送風機２ａを正回転させて前記乾燥室３の下部に送風し、前記第２電動送風機２ｂは、逆回転させて吸気させながら、さらに前記第２ルーバー１２ｂを上方に向けることで、乾燥室３底部に送風される空気を効率的に引き込み前記第２電動送風機２ｂが吸気することで、空気抵抗の低減による吸気効率が向上し、手に付着した水分を同一方向に飛散させるため、乾燥性の向上と跳ね返り水の防止とを実現できることとなる。
【００５０】
（実施の形態３）
図４に示すように、本実施の形態３における通常運転時の手乾燥装置の側断面図を示す。
【００５１】
図４に示すように、手検知運転の通常運転時において、乾燥室３内の乾燥状態を検知する湿度検知手段を備え、乾燥室３内の乾燥状態の結果に応じて第１電動送風機２ａあるいは、第２電動送風機２ｂの起動の順序を変更することを特徴としている。
【００５２】
また、手検知運転の通常運転時において、乾燥室３内の乾燥状態の結果が所定の湿度を超えた場合、第２電動送風機２ｂの起動を優先することを特徴としている。
【００５３】
さらに、手検知運転の通常運転時において、乾燥室３内の乾燥状態の結果が所定の湿度を下回る場合、第１電動送風機２ａの起動を優先することを特徴としている。
【００５４】
また、第１湿度検知手段１４ａは本体１の正面に配置し、外気の湿度を計測することができる。
【００５５】
さらに、第２湿度検知手段１４ｂと第３湿度検知手段１４ｃは、前記乾燥室３内の上方部と底部の湿度を計測し、これら３ヶ所の湿度情報を第２制御部８ｂは比較判断し、第１電動送風機２ａと第２電動送風機２ｂの運転を制御する構成とする。
【００５６】
つまり、前記乾燥室３内は、使用者が頻繁に手乾燥装置を使用されると、底部に溜まった水分が蒸発されないままで繰り返し使用されるために、乾燥室３内の上部より底部の方が湿度が高い状態であるため、その状態で手を再度挿入されると、湿った空気を使用者が感じるだけでなく、乾燥時間を短くする妨げとなるために、第１電動送風機２ａと第２電動送風機２ｂの起動パターンを変更して、湿度の低い外気を前記第２電動送風機２ｂが吸い込むことができる構成とする。
【００５７】
上記構成により、第１湿度検知手段１４ａ、第２湿度検知手段１４ｂ、第３湿度検知手段１４ｃにより、乾燥室３内の湿度管理することで、手に感じる湿度を低減させるために、起動させる電動送風機を第２制御部８ｂが選択することができる。手に感じる湿度を低減させ、手の乾燥効率を向上させることができる。また、同時に電動送風機を起動しないために突入電流の分散による定格電流の低減を図ることができることとなる。
【００５８】
また、湿度検知手段により、乾燥室３内の湿度管理することで、手に感じる湿度を低減させるために、乾燥室３の底部の湿度が上部の湿度および外気の湿度より高い時は第２電動送風機２ｂを逆回転させることで、湿度を下げてから第１電動送風機２ａを起動させることができるために、上下同一方向に空気流を流し、手に感じる湿度を低減させ、手の乾燥効率を向上させることができることとなる。
【００５９】
また、湿度検知手段により、乾燥室３内の湿度管理することで、手に感じる湿度を低減させるために、乾燥室３の上部の湿度および底部の湿度が外気の湿度より低い時は第１電動送風機２ａを正回転させてから、第２電動送風機２ｂを起動させることができるために、上下同一方向に空気流を流し、手には起動時から乾いた高速空気流にて乾燥可能なため、短時間で手を乾燥させることができることとなる。
【００６０】
（実施の形態４）
図５に示すように、本実施の形態４における通常運転時手乾燥装置の側断面図を示す。
【００６１】
図５に示すように、本体１の正面に人を検知する人感検知手段１５を備え、乾燥室３内の乾燥状態の結果に応じて人感検知後の手検知前に第１電動送風機２ａあるいは、第２電動送風機２ｂの起動を判断することを特徴としている。
【００６２】
また、人感検知手段１５を備え、乾燥室３内の乾燥状態の結果が所定の湿度を超えた場合、人感検知後の手検知運転前に第２電動送風機２ｂを起動することを特徴としている。
【００６３】
また、前記人感検知手段１５の一例として、赤外線受発光素子を用いたものやサーモーパイルのよう温度を用いて検知することができる第３制御部８ｃを備えた構成する。
【００６４】
さらに、第３制御部８ｃは、前記人感検知手段１５にて人体を検知したら即座に、第１湿度検知手段１４ａと第２湿度検知手段１４ｂと第３湿度検知手段１４ｃの湿度を計測し、３ヶ所の湿度情報から第３制御部８ｃは比較判断して、手検知されるまでの間に乾燥室３内の湿度を下げるために、各電動送風機の運転させる制御ができる構成とする。
【００６５】
また、手乾燥装置はトイレの入口などに設置されることが一般的なため、使用者がトイレに入った時点で人感検知し、手を洗うまでの時間内に乾燥室３内の湿度を低くするように動作させるように第３制御部８ｃが第１電動送風機２ａと第２電動送風機２ｂの起動順序を変更できる構成とする。
【００６６】
上記構成により、本体１の正面の人感検知手段１５が検知すると、乾燥室３内外の湿度検知手段により湿度を計測し、第３制御部８ｃは乾燥室３の内側と外側のどちらの湿度が高いか比較して判断することができるために、手検知までの時間に乾燥室３内の湿度を補正させる新たな制御が可能となり、短時間で手を乾燥させるための準備ができることとなる。
【００６７】
つまり、人感検知手段１５が人体を検知したら、乾燥室３内の第２湿度検知手段１４ｂ、第３湿度検知手段１４ｃにより湿度を計測し、第１湿度検知手段１４ａが計測した乾燥室外の湿度より湿度が高い場合は、手検知に関係なく即座に乾燥室３内の湿度低下させるために第２電動送風機２ｂを逆回転で起動させることで、湿度を下げてさせることができるために、その後の手検知時には、第１電動送風機２ａをすぐに起動させることができて、短時間で手を乾燥させることができることとなる。
【００６８】
また、乾燥室３内の第２湿度検知手段１４ｂ、第３湿度検知手段１４ｃにより湿度を計測し、第１湿度検知手段１４ａが計測した乾燥室外の湿度より湿度が低い場合は、さらに第２湿度検知手段１４ｂと第３湿度検知手段１４ｃの計測した湿度を比較して、第３湿度検知手段１４ｃの湿度が高い場合は、手検知時に第１送風機２を正回転させ、第２電動送風機２ｂを逆回転させることで乾燥室３内の上から下への空気の流れを作って短時間で手を乾燥させることができる。
【産業上の利用可能性】
【００６９】
本発明の手乾燥装置は、レストランやホテルなどの洗面所やトイレに設置され、また病院や手術室や調理場においても適用できる。
【符号の説明】
【００７０】
１      本体
２ａ    第１電動送風機
２ｂ    第２電動送風機
３      乾燥室
４      手検知部
５      吸気口
６ａ    第１風路
６ｂ    第２風路
７ａ    第１ノズル部
７ｂ    第２ノズル部
８ａ    第１制御部
８ｂ    第２制御部
８ｃ    第３制御部
９      排水口
１０ａ  第１ドレン配管
１０ｂ  第２ドレン配管
１１    ドレンタンク
１２ａ  第１ルーバー
１２ｂ  第２ルーバー
１３ａ  第１ルーバー可動手段
１３ｂ  第２ルーバー可動手段
１４ａ  第１湿度検知手段
１４ｂ  第２湿度検知手段
１４ｃ  第３湿度検知手段
１５    人感検知手段
【図１】
2010279458.tif 000003
【図２】
2010279458.tif 000004
【図３】
2010279458.tif 000005
【図４】
2010279458.tif 000006
【図５】
2010279458.tif 000007